(57)【要約】【課題】中空の組織臓器の内部組織および／または内壁に対する湾曲または円形の吻合および／または処置を行うための適切な外科ステープリングデバイスを提供すること。【解決手段】本開示は、アンビル組立部、エンドエフェクタ、および／または中空の組織臓器の内壁に対する湾曲または円形の吻合および／または処置を行うための適切な外科ステープラに関し、アンビル組立部が、近位端および遠位端を有するアンビル中央ロッドであって、中央ロッドが中央の長手方向軸を規定する、アンビル中央ロッドと、アンビル中央ロッドの遠位端に留められるアンビルヘッドとを含む。アンビルヘッドは、組織接触表面を規定するアンビルプレートと、アンビルプレートの組織接触表面に形成される複数のステープル形成ポケットとを含み、複数のステープルポケットの各々が弓状の長手方向軸を規定する。【選択図】図１
2012075872.tif 000002
【特許請求の範囲】
【請求項１】
外科ステープラであって、該外科ステープラは、
固定ハンドルと、接近メカニズムと、複数の外科ファスナを発射するための発射トリガーとを含むハンドル組立部と、
該ハンドル組立部の遠位端に支持されるエンドエフェクタと
を含み、
該エンドエフェクタが、
アンビル組立部と、
ステープルカートリッジ組立部と
を含み、
該アンビル組立部が、
該接近メカニズムへの選択的な接続のために構成される近位端と、遠位端とを有するアンビル中央ロッドであって、該中央ロッドが、中央の長手方向軸を規定する、アンビル中央ロッドと、
該アンビル中央ロッドの遠位端に留められるアンビルヘッドであって、該アンビルヘッドが、
組織接触表面を規定するアンビルプレートと、
該アンビルプレートの該組織接触表面に形成される複数のステープル形成ポケットと
を含み、該複数のステープルポケットの各々が湾曲の長さを有する、アンビルヘッドと
を含み、
該ステープルカートリッジ組立部が、該アンビル組立部のいくつかのステープル形成ポケットに対応する複数のステープル保持スロットを規定し、該ステープルカートリッジ組立部が、互いに対して間隔を空けられた関係で、該ステープルカートリッジ組立部内に支持される複数の外科ステープルを含む、外科ステープラ。
【請求項２】
前記ステープルカートリッジ組立部の前記複数のステープル保持スロットの各々は、湾曲の長さを有する、請求項１に記載の外科ステープラ。
【請求項３】
前記アンビル組立部の各ステープル形成ポケットは、前記中央ロッドの前記中央の長手方向軸から延在する湾曲の半径を有する、請求項２に記載の外科ステープラ。
【請求項４】
前記ステープルカートリッジ組立部の各ステープル保持スロットは、前記外科ステープラの中央の長手方向軸から延在する湾曲の半径を有する、請求項３に記載の外科ステープラ。
【請求項５】
前記アンビル組立部は、円形であり、ステープル形成ポケットの複数の環状列を規定し、前記カートリッジ組立部は、円形であり、ステープル保持スロットの複数の環状列を規定する、請求項４に記載の外科ステープラ。
【請求項６】
前記アンビル組立部のステープル形成ポケットの各環状列は、同数のステープル形成ポケットを含む、請求項５に記載の外科ステープラ。
【請求項７】
前記ステープルカートリッジ組立部のステープル保持スロットの各環状列は、同数のステープル保持スロットを含む、請求項５に記載の外科ステープラ。
【請求項８】
前記アンビル組立部のステープル形成ポケットの各環状列における隣接のステープル形成ポケットの間の距離は、ステープル形成ポケットの全ての環状列に対して概ね同等である、請求項７に記載の外科ステープラ。
【請求項９】
前記ステープルカートリッジ組立部のステープル保持スロットの各環状列における隣接のステープル保持スロットの間の距離は、ステープル形成ポケットの全ての環状列に対して概ね同等である、請求項８に記載の外科ステープラ。
【請求項１０】
前記アンビル組立部のステープル形成ポケットの相対的に内側の環状列の各ステープル形成ポケットの長さは、該アンビル組立部のステープル形成ポケットの相対的に外側の環状列の各ステープル形成ポケットの長さより相対的に短い、請求項９に記載の外科ステープラ。
【発明の詳細な説明】
【技術分野】
【０００１】
（関連出願への相互参照）
本出願は、２０１０年１１月８日に出願した米国仮特許出願シリアル番号第６１／４１０，９８０号と、２０１０年１０月１日に出願した米国仮特許出願シリアル番号第６１／３８８，７８８号との各々の利益および優先権を主張する。上記仮出願の各々の全内容が参照することにより本明細書に組み込まれる。
【０００２】
（背景）
（技術分野）
本開示は、概して、外科ステープルを体の組織に適用するための外科ステープリングデバイスに関する。より具体的には、本開示は、中空の組織臓器の内部組織および／または内壁に対する湾曲または円形の吻合および／または処置を行うための適切な外科ステープリングデバイスに関する。
【背景技術】
【０００３】
（関連技術の背景）
吻合は、別々の中空の臓器部分の外科結合である。典型的には。吻合手順は、中空の組織の病的または欠陥のある部分が取り除かれ、そして残りの末端部分が結合される外科手術に従う。所望の吻合手順に依存して、末端部分は、円形の末端−末端または側面−側面の臓器再建方法によって結合され得る。
【０００４】
円形吻合手順において、臓器部分の２つの末端は、各臓器部分の末端部分を通してステープルの円形アレイを駆動し、同時に管状通路を解放するようにステープルの駆動された円形アレイの任意の組織内部をくり貫くステープリング器具を用いて結合される。中空の臓器の円形吻合を行うための器具の例は、特許文献１、特許文献２、特許文献３、特許文献４、特許文献５、特許文献６、および特許文献７で説明され、上記文献の各々が参照することによって全体として本明細書に組み込まれる。典型的には、これらの器具は、器具を作動するための、近位端でのハンドル部分と、遠位端に配置されるステープル保持部品とを有する細長いシャフトを含む。取り付けられたアンビルヘッドと共にアンビルロッドを含むアンビル組立部は、ステープル保持部品に隣接の器具の遠位端に取り付けられる。ステープルされるべき中空の臓器（複数可）の組織の反対側の末端部分は、アンビルヘッドとステープル保持部品との間にクランプされる。クランプされた組織は、ステープル保持部品からの１つ以上のステープルを駆動することによってステープルされ、その結果、ステープルの末端が、組織を通過し、かつアンビルヘッドによって変形される。ステープルは、１つのプッシャまたは複数のプッシャによってステープル保持部品から駆動される。環状ナイフは、同時に、臓器内に管状通路を解放するために、中空の臓器と共に組織をくり貫けるように進められる。
【０００５】
中空の臓器の吻合の他に、円形吻合を行うための外科ステープリングデバイスは、直腸における内部の痔核を処置するために使われる。典型的には、痔核処置のための円形ステープリングデバイスの使用の間に、外科ステープリングデバイスのアンビルヘッドおよびステープル保持部品は、アンビルヘッドおよびステープル保持部品が解放または接近されていない位置で、肛門を通して、直腸内に挿入される。その後は、巾着縫合は、アンビルロッドに向かって内部の痔核組織を引っ張るために使われる。次に、アンビルヘッドおよびステープル保持部品は、アンビルヘッドとステープル保持部品との間の痔核組織をクランプするために接近させられる。ステープリングデバイスは、痔核組織を取り除き、そしてカットした組織をステープルするために発射される。痔核を処置するための外科ステープラは、Ｈｅｉｎｒｉｃｈの特許文献８に開示され、上記文献の開示が、本明細書で参照することによって本明細書に組み込まれる。
【０００６】
円形ステープリングデバイスにおいて、典型的には、各環状列における隣接のステープル形成ポケットおよび対応のステープル保持ポケットの間のギャップまたは間隔は、放射方向内側の列と比較されると、放射方向外側の列に対してより大きい。ステープルは、まっすぐなバックスパンを有し、ステープル形成ポケットとステープル保持ポケットとは、まっすぐな長手方向軸を有する。ステープル形成ポケットおよび／またはステープル保持ポケットの内側の環状列は、各環状列に対するステープルの数を決定する。各環状列は、同じまたは同数のステープル形成ポケットおよび／またはステープル保持ポケットを有する。従って、各環状列における隣接のステープル形成ポケットおよび／またはステープル保持ポケットの間のギャップは、内側の環状列に比較されるように、外側の環状列において最も大きい。
【先行技術文献】
【特許文献】
【０００７】
【特許文献１】米国特許第６，０５３，３９０号明細書
【特許文献２】米国特許第５，５８８，５７９号明細書
【特許文献３】米国特許第５，１１９，９８３号明細書
【特許文献４】米国特許第５，００５，７４９号明細書
【特許文献５】米国特許第４，６４６，７４５号明細書
【特許文献６】米国特許第４，５７６，１６７号明細書
【特許文献７】米国特許第４，４７３，０７７号明細書
【特許文献８】米国特許第６，９５９，８５１号明細書
【発明の概要】
【発明が解決しようとする課題】
【０００８】
従って、円形外科ステープリングデバイスであって、各環状列における隣接のステープル形成ポケットおよび／またはステープル保持ポケットの間のギャップが、外側の環状列から内部組織または内側の環状列まで、円形外科ステープリングデバイスの各環状列において減らされるかまたは維持される円形外科ステープリングデバイスを提供することに対するニーズが存在する。
【課題を解決するための手段】
【０００９】
（要約）
本開示は、アンビル組立部、エンドエフェクタ、および／または中空の組織臓器の内壁に対する湾曲または円形の吻合および／または処置を行うための適切な外科ステープラに関する。
【００１０】
本開示の側面に従って、外科ステープリング装置のためのアンビル組立部が提供される。アンビル組立部は、近位端および遠位端を有するアンビル中央ロッドであって、中央ロッドが中央の長手方向軸を規定する、アンビル中央ロッドと、アンビル中央ロッドの遠位端に留められるアンビルヘッドとを含む。アンビルヘッドは、組織接触表面を規定するアンビルプレートと、アンビルプレートの組織接触表面に形成される複数のステープル形成ポケットとを含み、複数のステープルポケットの各々が湾曲の長さを有する。
【００１１】
アンビル組立部は、ステープル形成ポケットを有し得、各ステープル形成ポケットが、中央ロッドの中央の長手方向軸から延在する湾曲の半径を有する。
【００１２】
アンビルヘッドは、円形であり得、アンビルプレートが、ステープル形成ポケットの複数の環状列を規定する。ステープル形成ポケットの各環状列は、同数のステープル形成ポケットを含み得る。
【００１３】
ステープル形成ポケットの各環状列における隣接のステープル形成ポケットの間の距離は、ステープル形成ポケットの全ての環状列に対して概ね同等であり得る。アンビル組立部は、ステープル形成ポケットを含み得、ステープル形成ポケットの内側の環状列の各ステープル形成ポケットの長さが、ステープル形成ポケットの外側の環状列の各ステープル形成ポケットの長さより相対的に短い。
【００１４】
アンビルプレートは、ステープル形成ポケットの少なくとも２つの環状列、またはステープル形成ポケットの少なくとも３つの環状列を規定し得る。ある実施形態において、アンビルプレートは、ステープル形成ポケットの内側の環状列と、ステープル形成ポケットの中間の環状列と、ステープル形成ポケットの外側の環状列とを規定する。
【００１５】
ステープル形成ポケットの中間の環状列の各ステープル形成ポケットの長さは、ステープル形成ポケットの内側の環状列の各ステープル形成ポケットの長さより相対的に長くあり得る。ステープル形成ポケットの外側の環状列の各ステープル形成ポケットの長さは、ステープル形成ポケットの中間の環状列の各ステープル形成ポケットの長さより相対的に長くあり得る。
【００１６】
ある実施形態において、ステープル形成ポケットの内側の環状列における隣接のステープル形成ポケットの間の距離は、ステープル形成ポケットの中間の環状列における隣接のステープル形成ポケットの間の距離と概ね同等である。ステープル形成ポケットの中間の環状列における隣接のステープル形成ポケットの間の距離は、ステープル形成ポケットの外側の環状列における隣接のステープル形成ポケットの間の距離と概ね同等である。
【００１７】
ある実施形態において、ステープル形成ポケットの少なくとも２つの隣接の環状列のステープル形成ポケットは、互いにネストされる。このように、アンビルの表面の利用は、ステープル捕獲に対して最大限にされる。さらに、ステープル形成ポケットの少なくとも２つの隣接の環状列のネスティングは、組織上の均等な圧力分布のためにステープルの一様な半径方向および長手方向の間隔を維持することを助ける。
【００１８】
本開示のもう１つの側面に従って、外科ステープラと共に使用するためのエンドエフェクタが提供される。エンドエフェクタは、近位端および遠位端を有するアンビル中央ロッドであって、中央ロッドが中央の長手方向軸を規定する、アンビル中央ロッドと、アンビル中央ロッドの遠位端に留められるアンビルヘッドとを含むアンビル組立部を含む。アンビルヘッドは、組織接触表面を規定するアンビルプレートと、アンビルプレートの組織接触表面に形成される複数のステープル形成ポケットとを含み、複数のステープルポケットの各々が湾曲の長さを有する。エンドエフェクタは、アンビル組立部のいくつかのステープル形成ポケットに対応する複数のステープル保持スロットを規定するステープルカートリッジ組立部をさらに含み、ステープルカートリッジ組立部が、互いに間隔を空けられた関係で、ステープルカートリッジ組立部に支持される複数の外科ステープルを含む。
【００１９】
ある実施形態において、ステープルカートリッジ組立部の複数のステープル保持スロットの各々は、湾曲の長さを有する。アンビル組立部の各ステープル形成ポケットは、中央ロッドの中央の長手方向軸から延在する湾曲の半径を有し得る。ステープルカートリッジ組立部の各ステープル保持スロットは、外科ステープラの中央の長手方向軸から延在する湾曲の半径を有し得る。
【００２０】
アンビル組立部は、円形であり得、ステープル形成ポケットの複数の環状列を規定し得、カートリッジ組立部は、円形であり得、ステープル保持スロットの複数の環状列を規定し得る。
【００２１】
アンビル組立部のステープル形成ポケットの各環状列は、同数のステープル形成ポケットを含み得る。ステープルカートリッジ組立部のステープル保持スロットの各環状列は、同数のステープル保持スロットを含み得る。
【００２２】
アンビル組立部のステープル形成ポケットの各環状列における隣接のステープル形成ポケットの間の距離は、ステープル形成ポケットの全ての環状列に対して概ね同等であり得る。ステープルカートリッジ組立部のステープル保持スロットの各環状列における隣接のステープル保持スロットの間の距離は、ステープル形成ポケットの全ての環状列に対して概ね同等である。
【００２３】
アンビル組立部のステープル形成ポケットの内側の環状列の各ステープル形成ポケットの長さは、アンビル組立部のステープル形成ポケットの外側の環状列の各ステープル形成ポケットの長さより相対的に短くあり得る。ステープルカートリッジ組立部のステープル保持スロットの内側の環状列の各ステープル保持スロットの長さは、ステープルカートリッジ組立部のステープル保持スロットの中間の環状列の各ステープル保持スロットの長さより相対的に短くあり得る。
【００２４】
アンビル組立部のアンビルプレートは、ステープル形成ポケットの少なくとも２つの環状列、またはステープル形成ポケットの少なくとも３つの環状列を規定し得る。ステープルカートリッジ組立部は、ステープル保持スロットの少なくとも２つの環状列、またはステープル保持スロットの少なくとも３つの環状列を規定し得る。
【００２５】
アンビル組立部のアンビルプレートは、ステープル形成ポケットの内側の環状列と、ステープル形成ポケットの中間の環状列と、ステープル形成ポケットの外側の環状列とを規定し得る。ステープルカートリッジ組立部は、ステープル保持スロットの内側の環状列と、ステープル保持スロットの中間の環状列と、ステープル保持スロットの外側の環状列とを規定し得る。
【００２６】
アンビル組立部のステープル形成ポケットの中間の環状列の各ステープル形成ポケットの長さは、アンビル組立部のステープル形成ポケットの内側の環状列の各ステープル形成ポケットの長さより相対的に長くあり得る。アンビル組立部のステープル形成ポケットの外側の環状列の各ステープル形成ポケットの長さは、アンビル組立部のステープル形成ポケットの中間の環状列の各ステープル形成ポケットの長さより相対的に長くあり得る。
【００２７】
ステープルカートリッジ組立部のステープル保持スロットの中間の環状列の各ステープル保持スロットの長さは、ステープルカートリッジ組立部のステープル保持スロットの内側の環状列の各ステープル保持スロットの長さより相対的に長くあり得る。ステープルカートリッジ組立部のステープル保持スロットの外側の環状列の各ステープル保持スロットの長さは、ステープルカートリッジ組立部のステープル保持スロットの中間の環状列の各ステープル保持スロットの長さより相対的に長くあり得る。
【００２８】
アンビル組立部のステープル形成ポケットの内側の環状列における隣接のステープル形成ポケットの間の距離は、アンビル組立部のステープル形成ポケットの中間の環状列における隣接のステープル形成ポケットの間の距離と概ね同等であり得る。アンビル組立部のステープル形成ポケットの中間の環状列における隣接のステープル形成ポケットの間の距離は、アンビル組立部のステープル形成ポケットの外側の環状列における隣接のステープル形成ポケットの間の距離と概ね同等であり得る。
【００２９】
ステープルカートリッジ組立部のステープル保持スロットの内側の環状列における隣接のステープル保持スロットの間の距離は、ステープルカートリッジ組立部のステープル保持スロットの中間の環状列における隣接のステープル保持スロットの間の距離と概ね同等であり得る。ステープルカートリッジ組立部のステープル保持スロットの中間の環状列における隣接のステープル保持スロットの間の距離は、ステープルカートリッジ組立部のステープル保持スロットの外側の環状列における隣接のステープル保持スロットの間の距離と概ね同等であり得る。
【００３０】
アンビル組立部のステープル形成ポケットの少なくとも２つの隣接の環状列のステープル形成ポケットは、互いにネストされ得る。ステープルカートリッジは、湾曲のバックスパンを有する外科ステープルを含み得る。
【００３１】
ステープルカートリッジのステープル保持スロットの各環状列の各ステープル保持スロットは、ステープル保持スロットの長さに対応する適切な長さを有するバックスパンを有する外科ステープルを装填され得る。ステープルカートリッジのステープル保持スロットの各環状列の各ステープル保持スロットは、ステープル保持スロットの長さに対応する適切な長さを有するバックスパンを有する外科ステープルを装填され得る。
【００３２】
ステープルカートリッジ組立部のステープル保持スロットの中間の環状列の各ステープル保持スロットに装填される外科ステープルのバックスパンの長さは、ステープルカートリッジ組立部のステープル保持スロットの内側の環状列の各ステープル保持スロットに装填される外科ステープルのバックスパンの長さより相対的に長くあり得る。ステープルカートリッジ組立部のステープル保持スロットの外側の環状列の各ステープル保持スロットに装填される外科ステープルのバックスパンの長さは、ステープルカートリッジ組立部のステープル保持スロットの中間の環状列の各ステープル保持スロットに装填される外科ステープルのバックスパンの長さより相対的に長くあり得る。
【００３３】
各外科ステープルは、バックスパンと、バックスパンの各対向した末端から垂れ下がるレッグとを含み得、レッグは、平面を規定し、バックスパンは、弓状であり、外科ステープルのレッグによって規定される平面から外への方向で突き出る。
【００３４】
なお本開示のもう１つの側面に従って、外科ステープラは提供され、固定ハンドルと、接近メカニズムと、複数の外科ファスナを発射するための発射トリガーとを含むハンドル組立部と、ハンドルの遠位端に支持されるエンドエフェクタとを含む。エンドエフェクタは、接近メカニズムへの選択的な接続のために構成される近位端および遠位端を有するアンビル中央ロッドであって、中央ロッドが中央の長手方向軸を規定する、アンビル中央ロッドと、アンビル中央ロッドの遠位端に留められるアンビルヘッドとを含むアンビル組立部を含む。アンビルヘッドは、組織接触表面を規定するアンビルプレートと、アンビルプレートの組織接触表面に形成される複数のステープル形成ポケットとを含み、複数のステープルポケットの各々が湾曲の長さを有する。エンドエフェクタは、アンビル組立部のいくつかのステープル形成ポケットに対応する複数のステープル保持スロットを規定するステープルカートリッジ組立部をさらに含み、ステープルカートリッジ組立部が、互いに間隔を空けられた関係で、ステープルカートリッジ組立部に支持される複数の外科ステープルを含む。
【００３５】
ステープルカートリッジ組立部の複数のステープル保持スロットの各々は、湾曲の長さを有し得る。
【００３６】
アンビル組立部の各ステープル形成ポケットは、中央ロッドの中央の長手方向軸から延在する湾曲の半径を有し得る。ステープルカートリッジ組立部の各ステープル保持スロットは、外科ステープラの中央の長手方向軸から延在する湾曲の半径を有し得る。
【００３７】
アンビル組立部は、円形であり得、ステープル形成ポケットの複数の環状列を規定し得、カートリッジ組立部は、円形であり得、ステープル保持スロットの複数の環状列を規定し得る。
【００３８】
アンビル組立部のステープル形成ポケットの各環状列は、同数のステープル形成ポケットを含み得る。
【００３９】
ステープルカートリッジ組立部のステープル保持スロットの各環状列は、同数のステープル保持スロットを含み得る。
【００４０】
アンビル組立部のステープル形成ポケットの各環状列における隣接のステープル形成ポケットの間の距離は、ステープル形成ポケットの全ての環状列に対して概ね同等であり得る。ステープルカートリッジ組立部のステープル保持スロットの各環状列における隣接のステープル保持スロットの間の距離は、ステープル形成ポケットの全ての環状列に対して概ね同等であり得る。
【００４１】
アンビル組立部のステープル形成ポケットの内側の環状列の各ステープル形成ポケットの長さは、アンビル組立部のステープル形成ポケットの外側の環状列の各ステープル形成ポケットの長さより相対的に短くあり得る。ステープルカートリッジ組立部のステープル保持スロットの内側の環状列の各ステープル保持スロットの長さは、ステープルカートリッジ組立部のステープル保持スロットの外側の環状列の各ステープル保持スロットの長さより相対的に短くあり得る。
【００４２】
アンビル組立部のアンビルプレートは、ステープル形成ポケットの少なくとも２つの環状列、またはステープル形成ポケットの少なくとも３つの環状列を規定し得る。ステープルカートリッジ組立部は、ステープル保持スロットの少なくとも２つの環状列、またはステープル保持スロットの少なくとも３つの環状列を規定し得る。
【００４３】
アンビル組立部のアンビルプレートは、ステープル形成ポケットの内側の環状列と、ステープル形成ポケットの中間の環状列と、ステープル形成ポケットの外側の環状列とを規定し得る。ステープルカートリッジ組立部は、ステープル保持スロットの内側の環状列と、ステープル保持スロットの中間の環状列と、ステープル保持スロットの外側の環状列とを規定し得る。
【００４４】
アンビル組立部のステープル形成ポケットの中間の環状列の各ステープル形成ポケットの長さは、アンビル組立部のステープル形成ポケットの内側の環状列の各ステープル形成ポケットの長さより相対的に長くあり得る。アンビル組立部のステープル形成ポケットの外側の環状列の各ステープル形成ポケットの長さは、アンビル組立部のステープル形成ポケットの中間の環状列の各ステープル形成ポケットの長さより相対的に長くあり得る。
【００４５】
ステープルカートリッジ組立部のステープル保持スロットの中間の環状列の各ステープル保持スロットの長さは、ステープルカートリッジ組立部のステープル保持スロットの内側の環状列の各ステープル保持スロットの長さより相対的に長くあり得る。ステープルカートリッジ組立部のステープル保持スロットの外側の環状列の各ステープル保持スロットの長さは、ステープルカートリッジ組立部のステープル保持スロットの中間の環状列の各ステープル保持スロットの長さより相対的に長くあり得る。
【００４６】
アンビル組立部のステープル形成ポケットの内側の環状列における隣接のステープル形成ポケットの間の距離は、アンビル組立部のステープル形成ポケットの中間の環状列における隣接のステープル形成ポケットの間の距離と概ね同等であり得る。アンビル組立部のステープル形成ポケットの中間の環状列における隣接のステープル形成ポケットの間の距離は、アンビル組立部のステープル形成ポケットの外側の環状列における隣接のステープル形成ポケットの間の距離と概ね同等であり得る。
【００４７】
ステープルカートリッジ組立部のステープル保持スロットの内側の環状列における隣接のステープル保持スロットの間の距離は、ステープルカートリッジ組立部のステープル保持スロットの中間の環状列における隣接のステープル保持スロットの間の距離と概ね同等であり得る。ステープルカートリッジ組立部のステープル保持スロットの中間の環状列における隣接のステープル保持スロットの間の距離は、ステープルカートリッジ組立部のステープル保持スロットの外側の環状列における隣接のステープル保持スロットの間の距離と概ね同等であり得る。
【００４８】
アンビル組立部のステープル形成ポケットの少なくとも２つの隣接の環状列のステープル形成ポケットは、互いにネストされ得る。
【００４９】
ステープルカートリッジのステープル保持スロットの各環状列の各ステープル保持スロットは、ステープル保持スロットの長さに対応する適切な長さを有するバックスパンを有する外科ステープルを装填され得る。
【００５０】
ステープルカートリッジのステープル保持スロットの各環状列の各ステープル保持スロットは、ステープル保持スロットの長さに対応する適切な長さを有するバックスパンを有する外科ステープルを装填され得る。ステープルカートリッジ組立部のステープル保持スロットの中間の環状列の各ステープル保持スロットに装填される外科ステープルのバックスパンの長さは、ステープルカートリッジ組立部のステープル保持スロットの内側の環状列の各ステープル保持スロットに装填される外科ステープルのバックスパンの長さより相対的に長くあり得る。ステープルカートリッジ組立部のステープル保持スロットの外側の環状列の各ステープル保持スロットに装填される外科ステープルのバックスパンの長さは、ステープルカートリッジ組立部のステープル保持スロットの中間の環状列の各ステープル保持スロットに装填される外科ステープルのバックスパンの長さより相対的に長くあり得る。
【００５１】
各外科ステープルは、湾曲しているバックスパンを有し得る。各外科ステープルは、バックスパンと、バックスパンの各対向した末端から垂れ下がるレッグとを含み得、レッグは、平面を規定し、バックスパンは、弓状であり、外科ステープルのレッグによって規定される平面から外への方向で突き出る。
【００５２】
例えば、本発明は、以下の項目を提供する。
（項目１）  外科ステープラであって、該外科ステープラは、
固定ハンドルと、接近メカニズムと、複数の外科ファスナを発射するための発射トリガーとを含むハンドル組立部と、
該ハンドル組立部の遠位端に支持されるエンドエフェクタと
を含み、
該エンドエフェクタが、
アンビル組立部と、
ステープルカートリッジ組立部と
を含み、
該アンビル組立部が、
該接近メカニズムへの選択的な接続のために構成される近位端と、遠位端とを有するアンビル中央ロッドであって、該中央ロッドが、中央の長手方向軸を規定する、アンビル中央ロッドと、
該アンビル中央ロッドの遠位端に留められるアンビルヘッドであって、該アンビルヘッドが、
組織接触表面を規定するアンビルプレートと、
該アンビルプレートの該組織接触表面に形成される複数のステープル形成ポケットと
を含み、該複数のステープルポケットの各々が湾曲の長さを有する、アンビルヘッドと
を含み、
該ステープルカートリッジ組立部が、該アンビル組立部のいくつかのステープル形成ポケットに対応する複数のステープル保持スロットを規定し、該ステープルカートリッジ組立部が、互いに対して間隔を空けられた関係で、該ステープルカートリッジ組立部内に支持される複数の外科ステープルを含む、外科ステープラ。
（項目２）  上記ステープルカートリッジ組立部の上記複数のステープル保持スロットの各々は、湾曲の長さを有する、上記項目のいずれかに記載の外科ステープラ。
（項目３）  上記アンビル組立部の各ステープル形成ポケットは、上記中央ロッドの上記中央の長手方向軸から延在する湾曲の半径を有する、上記項目のいずれかに記載の外科ステープラ。
（項目４）  上記ステープルカートリッジ組立部の各ステープル保持スロットは、上記外科ステープラの中央の長手方向軸から延在する湾曲の半径を有する、上記項目のいずれかに記載の外科ステープラ。
（項目５）  上記アンビル組立部は、円形であり、ステープル形成ポケットの複数の環状列を規定し、上記カートリッジ組立部は、円形であり、ステープル保持スロットの複数の環状列を規定する、上記項目のいずれかに記載の外科ステープラ。
（項目６）  上記アンビル組立部のステープル形成ポケットの各環状列は、同数のステープル形成ポケットを含む、上記項目のいずれかに記載の外科ステープラ。
（項目７）  上記ステープルカートリッジ組立部のステープル保持スロットの各環状列は、同数のステープル保持スロットを含む、上記項目のいずれかに記載の外科ステープラ。
（項目８）  上記アンビル組立部のステープル形成ポケットの各環状列における隣接のステープル形成ポケットの間の距離は、ステープル形成ポケットの全ての環状列に対して概ね同等である、上記項目のいずれかに記載の外科ステープラ。
（項目９）  上記ステープルカートリッジ組立部のステープル保持スロットの各環状列における隣接のステープル保持スロットの間の距離は、ステープル形成ポケットの全ての環状列に対して概ね同等である、上記項目のいずれかに記載の外科ステープラ。
（項目１０）  上記アンビル組立部のステープル形成ポケットの相対的に内側の環状列の各ステープル形成ポケットの長さは、該アンビル組立部のステープル形成ポケットの相対的に外側の環状列の各ステープル形成ポケットの長さより相対的に短い、上記項目のいずれかに記載の外科ステープラ。
（項目１１）  上記ステープルカートリッジ組立部のステープル保持スロットの相対的に内側の環状列の各ステープル保持スロットの長さは、該ステープルカートリッジ組立部のステープル保持スロットの相対的に外側の環状列の各ステープル保持スロットの長さより相対的に短い、上記項目のいずれかに記載の外科ステープラ。
（項目１２）  上記アンビル組立部の上記アンビルプレートは、ステープル形成ポケットの少なくとも２つの環状列を規定する、上記項目のいずれかに記載の外科ステープラ。
（項目１３）  上記ステープルカートリッジ組立部は、ステープル保持スロットの少なくとも２つの環状列を規定する、上記項目のいずれかに記載の外科ステープラ。
（項目１４）  上記アンビル組立部の上記アンビルプレートは、ステープル形成ポケットの内側の環状列と、ステープル形成ポケットの中間の環状列と、ステープル形成ポケットの外側の環状列とを規定する、上記項目のいずれかに記載の外科ステープラ。
（項目１５）  上記ステープルカートリッジ組立部は、ステープル保持スロットの内側の環状列と、ステープル保持スロットの中間の環状列と、ステープル保持スロットの外側の環状列とを規定する、上記項目のいずれかに記載の外科ステープラ。
（項目１６）  上記アンビル組立部のステープル形成ポケットの上記中間の環状列の各ステープル形成ポケットの長さは、該アンビル組立部のステープル形成ポケットの上記内側の環状列の各ステープル形成ポケットの長さより相対的に長い、上記項目のいずれかに記載の外科ステープラ。
（項目１７）  上記アンビル組立部のステープル形成ポケットの上記外側の環状列の各ステープル形成ポケットの長さは、該アンビル組立部のステープル形成ポケットの上記中間の環状列の各ステープル形成ポケットの長さより相対的に長い、上記項目のいずれかに記載の外科ステープラ。
（項目１８）  上記ステープルカートリッジ組立部のステープル保持スロットの上記中間の環状列の各ステープル保持スロットの長さは、該ステープルカートリッジ組立部のステープル保持スロットの上記内側の環状列の各ステープル保持スロットの長さより相対的に長い、上記項目のいずれかに記載の外科ステープラ。
（項目１９）  上記ステープルカートリッジ組立部のステープル保持スロットの上記外側の環状列の各ステープル保持スロットの長さは、該ステープルカートリッジ組立部のステープル保持スロットの上記中間の環状列の各ステープル保持スロットの長さより相対的に長い、上記項目のいずれかに記載の外科ステープラ。
（項目２０）  上記アンビル組立部のステープル形成ポケットの上記内側の環状列における隣接のステープル形成ポケットの間の距離は、該アンビル組立部のステープル形成ポケットの上記中間の環状列における隣接のステープル形成ポケットの間の距離と概ね同等である、上記項目のいずれかに記載の外科ステープラ。
（項目２１）  上記アンビル組立部のステープル形成ポケットの上記中間の環状列における隣接のステープル形成ポケットの間の距離は、該アンビル組立部のステープル形成ポケットの上記外側の環状列における隣接のステープル形成ポケットの間の距離と概ね同等である、上記項目のいずれかに記載の外科ステープラ。
（項目２２）  上記ステープルカートリッジ組立部のステープル保持スロットの上記内側の環状列における隣接のステープル保持スロットの間の距離は、該ステープルカートリッジ組立部のステープル保持スロットの上記中間の環状列における隣接のステープル保持スロットの間の距離と概ね同等である、上記項目のいずれかに記載の外科ステープラ。
（項目２３）  上記ステープルカートリッジ組立部のステープル保持スロットの上記中間の環状列における隣接のステープル保持スロットの間の距離は、該ステープルカートリッジ組立部のステープル保持スロットの上記外側の環状列における隣接のステープル保持スロットの間の距離と概ね同等である、上記項目のいずれかに記載の外科ステープラ。
（項目２４）  上記アンビル組立部のステープル形成ポケットの少なくとも２つの隣接の環状列の上記ステープル形成ポケットは、互いにネストされる、上記項目のいずれかに記載の外科ステープラ。
（項目２５）  上記ステープルカートリッジのステープル保持スロットの各環状列の各ステープル保持スロットは、該ステープル保持スロットの上記長さに対応する適切な長さを有するバックスパンを有する外科ステープルを装填される、上記項目のいずれかに記載の外科ステープラ。
（項目２６）  上記ステープルカートリッジのステープル保持スロットの各環状列の各ステープル保持スロットは、該ステープル保持スロットの上記長さに対応する適切な長さを有するバックスパンを有する外科ステープルを装填される、上記項目のいずれかに記載の外科ステープラ。
（項目２７）  上記ステープルカートリッジ組立部のステープル保持スロットの上記中間の環状列の各ステープル保持スロットに装填される上記外科ステープルの上記バックスパンの長さは、該ステープルカートリッジ組立部のステープル保持スロットの上記内側の環状列の各ステープル保持スロットに装填される上記外科ステープルの上記バックスパンの長さより相対的に長い、上記項目のいずれかに記載の外科ステープラ。
（項目２８）  上記ステープルカートリッジ組立部のステープル保持スロットの上記外側の環状列の各ステープル保持スロットに装填される上記外科ステープルの上記バックスパンの長さは、該ステープルカートリッジ組立部のステープル保持スロットの上記中間の環状列の各ステープル保持スロットに装填される上記外科ステープルの上記バックスパンの長さより相対的に長い、上記項目のいずれかに記載の外科ステープラ。
（項目２９）  各外科ステープルは、バックスパンと、該バックスパンの各対向した末端から垂れ下がるレッグとを含み、該レッグは、平面を規定し、該バックスパンは、弓状であり、該外科ステープルの該レッグによって規定される該平面から外への方向で突き出る、上記項目のいずれかに記載の外科ステープラ。
【００５３】
（摘要）
本開示は、アンビル組立部、エンドエフェクタ、および／または中空の組織臓器の内壁に対する湾曲または円形の吻合および／または処置を行うための適切な外科ステープラに関し、アンビル組立部が、近位端および遠位端を有するアンビル中央ロッドであって、中央ロッドが中央の長手方向軸を規定する、アンビル中央ロッドと、アンビル中央ロッドの遠位端に留められるアンビルヘッドとを含む。アンビルヘッドは、組織接触表面を規定するアンビルプレートと、アンビルプレートの組織接触表面に形成される複数のステープル形成ポケットとを含み、複数のステープルポケットの各々が弓状の長手方向軸を規定する。
【００５４】
本明細書で開示された円形外科ステープリングデバイスのさまざまな実施形態は、図面を参照することと共に本明細書に開示される。
【図面の簡単な説明】
【００５５】
【図１】図１は、本開示の実施形態に従う円形外科ステープリングデバイスの透視図である。
【図２】図２は、従来技術のシェル組立部およびアンビル組立部の背面透視図である。
【図３】図３は、図２の従来技術のアンビル組立部およびシェル組立部の正面透視図である。
【図４】図４は、従来技術の外科ステープルの透視図である。
【図５】図５は、図２および図３のアンビル組立部のアンビルプレートの組織接触表面の平面図である。
【図６】図６は、図５の詳細の示されたエリアの拡大図である。
【図７】図７は、円形ステープリングデバイスのアンビル組立部に用いられる、本開示の実施形態に従うアンビルプレートの平面図である。
【図８】図８は、図７の詳細の示されたエリアの拡大図である。
【図９】図９は、本開示のもう１つの実施形態に従うアンビル組立部およびシェル組立部の概略的、長手方向の断面図である。
【図１０】図１０は、円形ステープリングデバイスに用いられる、本開示の実施形態に従うカートリッジ組立部の組織接触表面の平面図である。
【図１１】図１１は、図１０の詳細の示されたエリアの拡大図である。
【図１２】図１２は、円形ステープリングデバイスに用いられる、本開示のもう１つの実施形態に従うカートリッジ組立部の組織接触表面の平面図である。
【図１３】図１３は、図１２の詳細の示されたエリアの拡大図である。
【図１４】図１４は、円形ステープリングデバイスに用いられる、本開示の実施形態に従う外科ステープルの透視図である。
【図１５】図１５は、図１４の外科ステープルの立面図である。
【図１６】図１６は、図１４および図１５の外科ステープルの上面、平面図である。
【発明を実施するための形態】
【００５６】
（実施形態の詳細な説明）
ステープリングデバイスのための、本開示されたアンビル組立部およびカートリッジ組立部のさまざまな代表的な実施形態は、ここで図面を参照することと共に詳細に説明され、類似な参照文字が類似または同一の構成要素を識別する。図面において、そして以下の説明において、技術分野において従来的かつ一般的であるように、用語「近位」は、正しい使用の間に、オペレータに最も近いアンビル組立部、カートリッジ組立部または円形ステープリングデバイス、またはそれらの部品の末端を指すが、用語「遠位」は、オペレータから最も離れている末端を指す。加えて、用語「外科ファスナ」は、隣接の組織部分を共に結合する意図的な目的に対して適切である生体適合材料で形成される任意の概ね剛性の構造を含むように理解されるべきであり、外科ステープル、クリップ、二部分ファスナ等を含み、しかしそれらに限定されない。
【００５７】
図１は、一般的に参照文字１０によって指される円形ステープリングデバイスを例示する。簡単に言えば、外科ステープリングデバイス１０は、ハンドル組立部１２と、ハンドル組立部１２から延在する細長い中央本体部分１４と、中央本体部分１４の遠位端上また遠位端に支持される遠位ヘッド部分１６とを含む。中央本体部分１４の長さおよび／または構成は、外科ファスナ適用装置が使用され得る特定の外科手順の要求に適するように変更され得または変えられ得る。例えば、中央本体部分１４は、例えば、痔核の処置のための手順に意図的に用いられるときに概ねまっすぐであり得、または代替的に、中央本体部分は、湾曲であり得る。中央本体部分は、柔軟であり得る。中央本体部分１４および／またはヘッド部分１６の横断寸法はまた、特定の外科手順に適するように変えられ得る。
【００５８】
ハンドル組立部１２は、固定ハンドル２０と、発射トリガー２２と、回転可能な接近ノブ２４とを含む。ヘッド部分１６は、シェル組立部１３０と、アンビル組立部１４０とを含む。シェル組立部１３０は、その一例が図１で理解され得、患者の組織の部分に隣接して取り付けるように使われる複数の外科ファスナ１５０を収容するように、構成され、寸法合わせされ、そして適合される。ステープルまたは他のファスナは、カートリッジまたはローディングユニット内に包含され得る。ヘッド部分１６のシェル組立部１３０およびアンビル組立部１４０は、追加の部品を含み、かつ追加の機能を行い、それらの各々が、譲受人が共通のＧｒｅｓｈａｍらへの「Ｓｕｒｇｉｃａｌ  Ｓｔａｐｌｉｎｇ  Ｄｅｖｉｃｅ  ｆｏｒ  Ｐｅｒｆｏｒｍｉｎｇ  Ｃｉｒｃｕｌａｒ  Ａｎａｓｔｏｍｏｓｅｓ」という名称の米国特許第７，２３４，６２４号において議論され、上記文献の全内容が、本明細書で参照することによって組み込まれる。
【００５９】
図２、図３、図５および図６で理解されるように、従来技術に従うアンビル組立部は、一般的に４０として表される。アンビル組立部４０は、アンビル中央ロッド組立部４２と、アンビルヘッド組立部４４とを含む。図２および図３で最も理解されるように、アンビル中央ロッド組立部４２は、図２、図５および図６で理解されるように、中央ロッド４２ａを含み、アンビルヘッド組立部４４は、アンビルヘッド４４ａと、ステープルを受け、かつ形成するためのそれぞれのステープル形成ポケット４８の３つの同心の環状列４６ａ、４６ｂ、４６ｃを規定するアンビルプレート４４ｂとを含む。
【００６０】
図５および図６で理解されるように、各ステープル形成ポケット４８は、直線またはまっすぐな長手方向軸「Ｙ」を規定する。また図５および図６で理解されるように、ステープル形成ポケット４８の第１または内側の環状列４６ａは、半径「Ｒ１」に沿って配置され、ステープル形成ポケット４８の第２または中間の環状列４６ｂは、半径「Ｒ１」より大きい半径「Ｒ２」に沿って配置され、そしてステープル形成ポケット４８の第３または外側の環状列４６ｃは、半径「Ｒ２」より大きい半径「Ｒ３」に沿って配置される。各半径「Ｒ１」、「Ｒ２」および「Ｒ３」は、各ステープル形成ポケット４８の中心点に対して測定される。
【００６１】
図５および図６で理解されるように、各ステープル形成ポケット４８が、直線またはまっすぐな長手方向軸「Ｙ」を規定するので、アンビルヘッド組立部４４の吻合リップ４４ｃから各ステープル形成ポケット４８までの半径方向距離は、一様または一定ではない。特に、吻合リップ４４ｃから各ステープル形成ポケット４８の中心点までの半径方向距離「ＡＬ１」は、吻合リップ４４ｃから各ステープル形成ポケット４８のどちらかの長手方向の末端までの半径方向距離「ＡＬ２」より短い。
【００６２】
さらに、図６で理解されるように、各ステープル形成ポケット４８が、直線またはまっすぐな長手方向軸「Ｙ」を規定するので、ステープル形成ポケット４８の隣接する環状列４６ａ、４６ｂ、４６ｃの間の半径方向距離「ＡＬ３」はまた、一様または一定ではない。特に、例えば、ステープル形成ポケット４８の相対的に放射方向内側の環状列（例えば、４６ａ、４６ｂ）の各ステープル形成ポケット４８のどちらかの長手方向の末端から、ステープル形成ポケット４８の相対的に放射方向外側の環状列（例えば、４６ｂ、４６ｃ）の各ステープル形成ポケット４８の中心点までの半径方向距離「ＡＬ３」は、ステープル形成ポケット４８の相対的に放射方向外側の環状列（例えば、４６ｂ、４６ｃ）の各ステープル形成ポケット４８の中間点から、ステープル形成ポケット４８の相対的に放射方向内側の環状列（例えば、４６ａ、４６ｂ）の各ステープル形成ポケット４８のどちらかの長手方向の末端までの半径方向距離より短い。
【００６３】
図５および図６で理解されるように、各環状列４６ａ、４６ｂおよび４６ｃが同数のステープル形成ポケット４８を含み、そして各ステープル形成ポケット４８が同等の長さ「Ｌ」を有するので、各環状列４６ａ、４６ｂ、４６ｃにおける隣接のステープル形成ポケット４８の間の距離は、環状列４６ａ、４６ｂ、４６ｃの半径が増大すると増大する。特に、ステープル形成ポケット４８の第１または内側の環状列４６ａは、それの隣接のステープル形成ポケット４８の間の第１距離「Ｇａ」を規定する。ステープル形成ポケット４８の第２または中間の環状列４６ｂは、第１または内側の環状列４６ａの隣接のステープル形成ポケット４８の間の第１距離「Ｇａ」より長い、それの隣接のステープル形成ポケット４８の間の第２距離「Ｇｂ」を規定する。ステープル形成ポケット４８の第３または外側の環状列４６ｃは、第２または内側の環状列４６ｂの隣接のステープル形成ポケット４８の間の第２距離「Ｇｂ」より長い、それの隣接のステープル形成ポケット４８の間の第３距離「Ｇｃ」を規定する。
【００６４】
さらに、各ステープル形成ポケット４８が、まっすぐまたは直線の形状を有し、そして全ステープル形成ポケット４８が、一様または同等の長さ「Ｌ」を有するので、隣接の環状列４６ａ、４６ｂ、４６ｃの半径（Ｒ１、Ｒ２、Ｒ３）は、１つの環状列４６ａ、４６ｂ、４６ｃのステープル形成ポケット４８が隣接の環状列４６ａ、４６ｂ、４６ｃのステープル形成ポケット４８と干渉しないように選択されなければならない。
【００６５】
図３で最も理解されるように、従来技術に従うステープルカートリッジ組立部は、一般的に３０として表される。カートリッジ組立部３０は、３つの同心の環状列３６ａ、３６ｂ、３６ｃで配列される複数のステープル保持スロット３８を含む。各ステープル保持スロット３８は、そこで外科ステープルを保持するように構成される。正しくアンビル組立部４０と協働するために、カートリッジ組立部３０は、アンビル組立部４０が円形ステープリングデバイス１０に接続されるときに、互いに並列して軸方向に整列しているアンビル組立部４０のステープル形成ポケット４８と同等のまたは対応する数のステープル保持スロット３８を含む。
【００６６】
図４で理解されるように、従来技術に従う外科ステープルは、一般的に５０として表される。各外科ステープル５０は、バックスパン５２と、バックスパン５２の対向した末端から垂れ下がる１対のレッグ５４、５６とを含む。図４で理解されるように、外科ステープル５０のバックスパン５２は、概ねまっすぐかつ直線であり、バックスパン５２は、レッグ５４および５６によって規定される平面内にある。外科ステープル５０の詳細な議論のために、所有者および譲受人が共通の、それぞれに「Ｄｉｒｅｃｔｉｏｎａｌｌｙ  Ｂｉａｓｅｄ  Ｓｔａｐｌｅ  ａｎｄ  Ａｎｖｉｌ  Ａｓｓｅｍｂｌｙ  ｆｏｒ  Ｆｏｒｍｉｎｇ  ｔｈｅ  Ｓｔａｐｌｅ」という名称の米国特許第７，６１１，０３８号および米国特許第７，３９８，９０７号に参照がなされ、上記文献の各々の全内容が参照することによって本明細書に組み込まれる。
【００６７】
円形ステープリングデバイス１０の動作および構造の詳細の議論および例示のために、譲受人が共通のＧｒｅｓｈａｍらへの「Ｓｕｒｇｉｃａｌ  Ｓｔａｐｌｉｎｇ  Ｄｅｖｉｃｅ  ｆｏｒ  Ｐｅｒｆｏｒｍｉｎｇ  Ｃｉｒｃｕｌａｒ  Ａｎａｓｔｏｍｏｓｅｓ」という名称の米国特許第７，２３４，６２４号に参照がなされ、上記文献の全内容が、本明細書で参照することによって組み込まれる。概して、アンビル中央ロッドは、スクリューに取り付けられるアンビル保持器に取り付けられる。ノブの回転は、アンビルとカートリッジ組立部とを接近させるように、スクリューおよびアンビル保持器を引っ込む。ピボット可能なハンドルは、プッシャリンクを前進させ、プッシャおよびナイフを前進させ、アンビルおよびカットした組織に対してステープルを形成するように操作され得る。
【００６８】
本明細書の以下に議論されるように、本開示のカートリッジ組立部１３０およびアンビル組立部１４０と共に使われ得、またはそれらを組み込み得る、動力を備えたまたは電気−機械式の円形ステープリングデバイスの動作および構造の詳細な議論および例示のために、２００４年２月２３日に出願した「Ｓｕｒｇｉｃａｌ  Ｃｕｔｔｉｎｇ  ａｎｄ  Ｓｔａｐｌｉｎｇ  Ｄｅｖｉｃｅ」という名称の米国特許出願第２００５／０１８７５７６号に参照がなされ、上記文献の全内容が、本明細書で参照することによって組み込まれる。
【００６９】
ここで図１および図５〜１６に向けると、本開示に従って、カートリッジ組立部１３０と、アンビル組立部１４０と、外科ステープル１５０とを有するエンドエフェクタを組み込み、そして／またはそのエンドエフェクタと共に使用するための円形ステープリングデバイスが示され、かつ説明される。ハンドル組立部および細長い中央本体部分は、概ね前述のようである。代替的に、エンドエフェクタは、モーターと共に、またはモーターまたは他のエネルギーソースと共に使用するために構成されるハンドル組立部および本体部分、シャフトおよび／またはアダプターと共に利用されるように構成され得る。
【００７０】
図７および図８で理解されるように、本開示の実施形態に従うアンビル組立部は、一般的に１４０として表される。アンビル組立部１４０は、アンビルヘッド１４４ａと、ステープルを受け、かつ形成するためのそれぞれのステープル形成ポケット１４８ａ、１４８ｂ、１４８ｃの複数の同心の環状列１４６ａ、１４６ｂ、１４６ｃを規定するアンビルプレート１４４ｂとを含む。
【００７１】
図７および図８で理解されるように、各ステープル形成ポケット１４８は、環状または弓状の長手方向軸「Ｙ１」を規定する。ステープル形成ポケットは、湾曲、楕円の形状を有する。ステープル形成ポケットの各々の湾曲の長さは、アンビルプレートの弓状面の形状に従う。ステープル形成ポケットは、湾曲のバックスパンを有するステープルを受けるために、三日月、両凹の形状を有する。また図７および図８で理解されるように、ステープル形成ポケット１４８の第１または内側の環状列１４６ａは、半径「Ｒ４」に沿って配置され、ステープル形成ポケット１４８の第２または中間の環状列１４６ｂは、半径「Ｒ４」より大きい半径「Ｒ５」に沿って配置され、そしてステープル形成ポケット１４８の第３または外側の環状列１４６ｃは、半径「Ｒ５」より大きい半径「Ｒ６」に沿って配置される。各半径「Ｒ４」、「Ｒ５」および「Ｒ６」は、各ステープル形成ポケット１４８の中心点に対して測定される。
【００７２】
各ステープル形成ポケット１４８が、環状または弓状の長手方向軸「Ｙ１」を規定するので、アンビルヘッド組立部１４０の第１または内側の環状列１４６ａと第２または中間の環状列１４６ｂとのそれぞれの「Ｒ４」と「Ｒ５」との間の相対的な半径方向距離は、アンビルヘッド組立部４０の第１または内側の環状列４６ａと第２または中間の環状列４６ｂとのそれぞれの「Ｒ１」と「Ｒ２」との間の相対的な半径方向距離より短くあり得る。
【００７３】
さらに、アンビルヘッド組立部１４０の第２または中間の環状列１４６ｂと第３または外側の環状列１４６ｃとのそれぞれの「Ｒ５」と「Ｒ６」との間の相対的な半径方向距離は、アンビルヘッド組立部４０の第２または中間の環状列４６ｂと第３または外側の環状列４６ｃとのそれぞれの「Ｒ２」と「Ｒ３」との間の相対的な半径方向距離より短くあり得る。このように、ステープル形成ポケット１４８ａ、１４８ｂおよび１４８ｃの環状列１４６ａ、１４６ｂおよび１４６ｃは、互いに対してより接近して充填される。
【００７４】
続けて図７および図８を参照すると、各ステープル形成ポケット１４８は、それぞれの環状列１４６ａ、１４６ｂ、１４６ｃに対する環状または弓状の長手方向軸「Ｙａ、ＹｂおよびＹｃ」を規定し、各環状列１４６ａ、１４６ｂおよび１４６ｃは、同数のステープル形成ポケット１４８を含む。それぞれの環状列１４６ａ、１４６ｂ、１４６ｃにおけるそれぞれのステープル形成ポケット１４８ａ、１４８ｂ、１４８ｃに対する長さ「Ｌａ」、「Ｌｂ」および「Ｌｃ」は、放射方向外向き方向に増大し得る。特に、第２または中間の環状列１４６ｂにおけるステープル形成ポケット１４８ｂの長さ「Ｌｂ」は、第１または内側の環状列１４６ａにおけるステープル形成ポケット１４８ａの長さ「Ｌａ」より長くあり得、第３または外側の環状列１４６ｃにおけるステープル形成ポケット１４８ｃの長さ「Ｌｃ」は、第２または中間の環状列１４６ｂにおけるステープル形成ポケット１４８ｂの長さ「Ｌｂ」より長くあり得る。
【００７５】
このように、図７および図８で理解されるように、それぞれのステープル形成ポケット１４８ａ、１４８ｂおよび１４８ｃの長さ「Ｌａ」、「Ｌｂ」および「Ｌｃ」における差のために、各それぞれの環状列１４６ａ、１４６ｂ、１４６ｃにおける隣接のステープル形成ポケット１４８ａ、１４８ｂ、１４８ｃの間の距離は、概ね同等であり得る。特に、ステープル形成ポケット１４８ａの第１または内側の環状列１４６ａは、それの隣接のステープル形成ポケット１４８ａの間の第１距離「Ｇａ」を規定する。ステープル形成ポケット１４８ｂの第２または中間の環状列１４６ｂは、第１または内側の環状列１４６ａの隣接のステープル形成ポケット１４８ａの間の第１距離「Ｇａ」と概ね同等である、それの隣接のステープル形成ポケット１４８ｂの間の第２距離「Ｇｂ」を規定する。ステープル形成ポケット１４８ｃの第３または外側の環状列１４６ｃは、第１または内側の環状列１４６ａの隣接のステープル形成ポケット１４８ａの間の第１距離「Ｇａ」と、第２または内側の環状列１４６ｂの隣接のステープル形成ポケット１４８ｂの間の第２距離「Ｇｂ」と概ね同等である第３距離「Ｇｃ」を規定する。
【００７６】
さらに、各ステープル形成ポケット１４８ａ、１４８ｂ、１４８ｃは、細長い球根状または円形の壁によって規定される１対の末端部分を相互接続する１対の平行な弓状の側壁によって規定される中央部分を有する周囲のプロフィールまたはフットプリントを含み得る。ステープル形成ポケット１４８ａ、１４８ｂ、１４８ｃの末端部分の詳細な議論のために、所有者および譲受人が共通の、それぞれに「Ｄｉｒｅｃｔｉｏｎａｌｌｙ  Ｂｉａｓｅｄ  Ｓｔａｐｌｅ  ａｎｄ  Ａｎｖｉｌ  Ａｓｓｅｍｂｌｙ  ｆｏｒ  Ｆｏｒｍｉｎｇ  ｔｈｅ  Ｓｔａｐｌｅ」という名称の米国特許第７，６１１，０３８号および米国特許第７，３９８，９０７号に参照がなされ、上記文献の各々の全内容が参照することによって本明細書に組み込まれる。
【００７７】
このように、図７および図８で理解されるように、それぞれの環状列１４６ａ、１４６ｂおよび１４６ｃのステープル形成ポケット１４８ａ、１４８ｂおよび１４８ｃは、互いにネストされ得る。ステープル形成ポケットは、スタンピング、コイニング、または他の方法を利用して形成され得る。フォトリソグラフィー法および／またはマイクロ電解法が使われ得る。電解による溶解は、ステープル形成ポケットが湾曲の長さを有するようにステープル形成ポケットをアンビルプレートに形成するように使われ得る。
【００７８】
図７および図８で理解されるように、それぞれの環状列１４６ａ、１４６ｂおよび１４６ｃの各ステープル形成ポケット１４８ａ、１４８ｂ、１４８ｃが、弓状の、それぞれの長手方向軸「Ｙａ、Ｙｂ、Ｙｃ」を規定するので、アンビルヘッド組立部１４４の吻合リップ１４４ｃからそれぞれの環状列１４６ａ、１４６ｂおよび１４６ｃの各ステープル形成ポケット１４８ａ、１４８ｂ、１４８ｃまでの半径方向距離は、概ね一様または一定である。特に、吻合リップ１４４ｃからそれぞれの環状列１４６ａ、１４６ｂおよび１４６ｃの各ステープル形成ポケット１４８ａ、１４８ｂ、１４８ｃの中心点までの半径方向距離「ＡＬ１」は、吻合リップ１４４ｃからそれぞれの環状列１４６ａ、１４６ｂおよび１４６ｃの各ステープル形成ポケット１４８ａ、１４８ｂ、１４８ｃのどちらかの長手方向の末端までの半径方向距離「ＡＬ２」と概ね同等である。
【００７９】
さらに、図７で理解されるように、それぞれの環状列１４６ａ、１４６ｂおよび１４６ｃの各ステープル形成ポケット１４８ａ、１４８ｂ、１４８ｃが、弓状の、それぞれの長手方向軸「Ｙａ、Ｙｂ、Ｙｃ」を規定するので、ステープル形成ポケット１４８ａ、１４８ｂおよび１４８ｃの隣接の環状列１４６ａ、１４６ｂ、１４６ｃの間の半径方向距離「ＡＬ３」はまた、概ね一様または一定である。特に、例えば、ステープル形成ポケット１４８の相対的に放射方向内側の環状列（例えば、１４６ａ、１４６ｂ）の各ステープル形成ポケット１４８ａ、１４８ｂのどちらかの長手方向の末端から、ステープル形成ポケット１４８の相対的に放射方向外側の環状列（例えば、１４６ｂ、１４６ｃ）の各ステープル形成ポケット１４８ｂ、１４８ｃの中心点までの半径方向距離「ＡＬ３」は、ステープル形成ポケット１４８の相対的に放射方向外側の環状列（例えば、１４６ｂ、１４６ｃ）の各ステープル形成ポケット１４８ｂ、１４８ｃの中間点から、ステープル形成ポケット１４８の相対的に放射方向内側の環状列（例えば、１４６ａ、１４６ｂ）の各ステープル形成ポケット１４８ａ、１４８ｂのどちらかの長手方向の末端までの半径方向距離より短い。
【００８０】
図１０および図１１で最も理解されるように、本開示の実施形態に従うステープルカートリッジ組立部は、一般的に１３０として表される。ステープルカートリッジ組立部１３０は、３つの同心の環状列１３６ａ、１３６ｂ、１３６ｃで配列される複数のステープル保持スロット１３８を含む。各ステープル保持スロット１３８は、そこで外科ステープルを保持するように構成される。適切にアンビル組立部１４０と協働するために、カートリッジ組立部１３０は、アンビル組立部１４０が円形ステープリングデバイス１０に接続されるときに、互いに並列して軸方向に整列しているアンビル組立部１４０のステープル形成ポケット１４８と同等のまたは対応する数のステープル保持スロット１３８を含む。
【００８１】
図１０および図１１で理解されるように、各ステープル保持スロット１３８は、それぞれの環状列１３６ａ、１３６ｂ、１３６ｃに対して、環状または弓状の長手方向軸「Ｙａ、ＹｂおよびＹｃ」を規定する。ステープル保持スロットは、湾曲、楕円の形状を有する。ステープル保持スロットの各々の湾曲の長さは、カートリッジ組立部の弓状面の形状に従う。ステープル保持スロットは、湾曲したバックスパンを有するステープルを受けるために、三日月、両凹の形状を有する。それぞれの環状列１３６ａ、１３６ｂ、１３６ｃに対するステープル保持スロット１３８の弓状の長手方向軸「Ｙａ、ＹｂおよびＹｃ」は、それぞれの環状列１４６ａ、１４６ｂ、１４６ｃに対するステープル形成ポケット１４８の弓状の長手方向軸「Ｙａ、ＹｂおよびＹｃ」に概ね類似しているか、または概ね類似している湾曲の半径を有する。また図１０および図１１で理解されるように、ステープル保持スロット１３８の第１または内側の環状列１３６ａは、半径「Ｒ４」を有し、ステープル保持スロット１３８の第２または中間の環状列１３６ｂは、半径「Ｒ４」より大きい半径「Ｒ５」を有し、そしてステープル保持スロット１３８の第３または外側の環状列１３６ｃは、半径「Ｒ５」より大きい半径「Ｒ６」を有する。各半径「Ｒ４」、「Ｒ５」および「Ｒ６」は、各ステープル保持スロット１３８の中心点に対して測定される。さらに、各環状列１３６ａ、１３６ｂ、１３６ｃに対する各ステープル保持スロット１３８ａ、１３８ｂ、１３８ｃに対する半径は、その全長に沿って概ね一定または一様である。
【００８２】
続けて図１０および図１１を参照すると、各ステープル保持スロット１３８ａ、１３８ｂ、１３８ｃは、それぞれの環状または弓状の長手方向軸「Ｙａ、ＹｂおよびＹｃ」を規定し、環状列１３６ａ、１３６ｂおよび１３６ｃは、同数のステープル保持スロット１３８を含む。それぞれの環状列１３６ａ、１３６ｂ、１３６ｃにおけるそれぞれのステープル保持スロット１３８ａ、１３８ｂ、１３８ｃに対する長さ「Ｌａ」、「Ｌｂ」および「Ｌｃ」は、放射方向外向き方向に増大し得る。特に、第２または中間の環状列１３６ｂにおけるステープル保持スロット１３８ｂの長さ「Ｌｂ」は、第１または内側の環状列１３６ａにおけるステープル保持スロット１３８ａの長さ「Ｌａ」より長くあり得、第３または外側の環状列１３６ｃにおけるステープル保持スロット１３８ｃの長さ「Ｌｃ」は、第２または中間の環状列１３６ｂにおけるステープル保持スロット１３８ｂの長さ「Ｌｂ」より長くあり得る。言い換えると、各それぞれの環状列１３６ａ、１３６ｂ、１３６ｃにおける各それぞれのステープル保持スロット１３８ａ、１３８ｂ、１３８ｃは、各それぞれの環状列１４６ａ、１４６ｂ、１４６ｃにおける各ステープル形成ポケット１４８ａ、１４８ｂおよび１４８ｃの長さ「Ｌａ」、「Ｌｂ」および「Ｌｃ」に概ね対応しまたは関連する長さを有する。
【００８３】
このように、図１０および図１１で理解されるように、それぞれのステープル保持スロット１３８ａ、１３８ｂおよび１３８ｃの長さ「Ｌａ」、「Ｌｂ」および「Ｌｃ」における差のために、各それぞれの環状列１３６ａ、１３６ｂ、１３６ｃにおける隣接のステープル保持スロット１３８ａ、１３８ｂおよび１３８ｃの間の距離は、概ね同等であり得る。特に、ステープル保持スロット１３８ａの第１または内側の環状列１３６ａは、隣接のステープル保持スロット１３８ａの間の第１距離「Ｇａ」を規定し、ステープル保持スロット１３８ｂの第２または中間の環状列１３６ｂは、第１距離「Ｇａ」と概ね同等である第２距離「Ｇｂ」を規定し、そしてステープル保持スロット１３８ｃの第３または外側の環状列１３６ｃは、隣接のステープル保持スロット１３８ａの間の第１距離「Ｇａ」と、隣接のステープル形成ポケット１３８ｂの間の第２距離「Ｇｂ」と概ね同等である第３距離「Ｇｃ」を規定する。
【００８４】
図１０および図１１で理解されるように、それぞれの環状列１３６ａ、１３６ｂおよび１３６ｃの各ステープル保持スロット１３８ａ、１３８ｂ、１３８ｃが、弓状の、それぞれの長手方向軸「Ｙａ、Ｙｂ、Ｙｃ」を規定するので、カートリッジ組立部１４０の吻合リップ１３０ｃからそれぞれの環状列１３６ａ、１３６ｂおよび１３６ｃの各ステープル保持スロット１３８ａ、１３８ｂ、１３８ｃまでの半径方向距離は、概ね一様または一定である。特に、吻合リップ１３０ｃからそれぞれの環状列１３６ａ、１３６ｂおよび１３６ｃの各ステープル形成ポケット１３８ａ、１３８ｂ、１３８ｃの中心点までの半径方向距離「ＡＬ１」は、吻合リップ１３０ｃからそれぞれの環状列１３６ａ、１３６ｂおよび１３６ｃの各ステープル保持スロット１３８ａ、１３８ｂ、１３８ｃのどちらかの長手方向の末端までの半径方向距離「ＡＬ２」と概ね同等である。
【００８５】
さらに、図１１で理解されるように、それぞれの環状列１３６ａ、１３６ｂおよび１３６ｃの各ステープル保持スロット１３８ａ、１３８ｂ、１３８ｃが、弓状の、それぞれの長手方向軸「Ｙａ、Ｙｂ、Ｙｃ」を規定するので、ステープル保持スロット１３８ａ、１３８ｂ、１３８ｃの隣接の環状列１３６ａ、１３６ｂ、１３６ｃの間の半径方向距離「ＡＬ３」はまた、概ね一様または一定である。特に、例えば、ステープル保持スロット１３８の相対的に放射方向内側の環状列（例えば、１３６ａ、１３６ｂ）の各ステープル保持スロット１３８ａ、１３８ｂのどちらかの長手方向の末端から、ステープル保持スロット１３８の相対的に放射方向外側の環状列（例えば、１３６ｂ、１３６ｃ）の各ステープル保持スロット１３８ｂ、１３８ｃの中心点までの半径方向距離「ＡＬ３」は、ステープル保持スロット１３８の相対的に放射方向外側の環状列（例えば、１３６ｂ、１３６ｃ）の各ステープル保持スロット１３８ｂ、１３８ｃの中間点から、ステープル保持スロット１３８の相対的に放射方向内側の環状列（例えば、１３６ａ、１３６ｂ）の各ステープル保持スロット１３８ａ、１３８ｂのどちらかの長手方向の末端までの半径方向距離より短い。
【００８６】
しばらくの間、図９に向けると、ステープルカートリッジ組立部１３０は、「Ｓｕｒｇｉｃａｌ  Ｓｔａｐｌｉｎｇ  Ｉｎｓｔｒｕｍｅｎｔｓ  Ｉｎｃｌｕｄｉｎｇ  ａ  Ｃａｒｔｒｉｄｇｅ  ｈａｖｉｎｇ  Ｍｕｌｔｉｐｌｅ  Ｓｔａｐｌｅ  Ｓｉｚｅｓ」という名称の米国特許７，３９８，９０８において示され、かつ説明される任意の組織接触表面に概ね類似する階段状の組織接触表面１４０ａを有し得、上記文献の全内容が参照することによって本明細書に組み込まれる。
【００８７】
ここで、図１２および図１３に向けると、本開示のもう１つの実施形態に従うアンビル組立部１４０のためのステープル形成ポケット２４８が、概略的に示され、そして説明される。図１２および図１３で理解されるように、各ステープル形成ポケット２４８は、湾曲または弓状の長手方向軸に近似するために、曲がったまたは非直線の長手方向軸を規定する。特に、図１３で理解されるように、各ステープル形成ポケット２４８は、少なくとも、第１の直線の長手方向軸「Ｙ１」を規定する第１区画２４８ａと、第２の直線の長手方向軸「Ｙ２」を規定する第２区画２４８ｂとを規定し、第１区画２４８ａと第２区画２４８ｂとは、互いに対して角度「α」で角度を付けられる。
【００８８】
図１２および図１３は、アンビル組立部１４０のためのステープル形成ポケットに対して説明されてきたが、ステープルカートリッジ組立部のためのステープル保持スロットに概ね同等に当てはまり、それも本開示の範囲内にあることが考えられる。
【００８９】
図１４〜１６で理解されるように、本開示の実施形態に従う外科ステープルは、一般的に１５０として表される。各外科ステープル１５０は、バックスパン１５２と、バックスパン１５２の対向した末端から垂れ下がる１対のレッグ１５４、１５６とを含む。図１４および図１６で理解されるように、外科ステープル１５０のバックスパン１５２は、湾曲しており、そして弓状の長手方向軸「Ｙ３」を規定し、バックスパン１５２が、レッグ１５４および１５６によって規定される平面から外に延在している。外科ステープル１５０のバックスパン１５２の弓状の長手方向軸「Ｙ３」は、それぞれのステープル形成ポケット１４８ａ、１４８ｂ、１４８ｃの弓状の長手方向軸「Ｙａ、ＹｂおよびＹｃ」および／またはステープル保持スロット１３８ａ、１３８ｂ、１３８ｃの弓状の長手方向軸「Ｙａ、Ｙｂ、Ｙｃ」と概ね類似しているか、または概ね類似している湾曲の半径を有する。
【００９０】
さらに、本開示に従って、ステープル１５０がステープル保持スロット１３８ａ、１３８ｂ、１３８ｃのどの環状列１３６ａ、１３６ｂ、１３６ｃに装填されるかに依存して、外科ステープル１５０は、それぞれのステープル保持スロット１３８ａ、１３８ｂ、１３８ｃの長さ「Ｌａ」、「Ｌｂ」および「Ｌｃ」に対応する長さ「Ｌａ」、「Ｌｂ」または「Ｌｃ」を有するバックスパン１５２を有する。特に、ステープル保持スロット１３８ａの第１または内側の環状列１３６ａに装填される外科ステープル１５０は、長さ「Ｌａ」を有するバックスパン１５２を有し、ステープル保持スロット１３８ｂの第２または中間の環状列１３６ｂに装填される外科ステープル１５０は、長さ「Ｌｂ」を有するバックスパン１５２を有し、そしてステープル保持スロット１３８ｃの第３または外側の環状列１３６ｃに装填される外科ステープル１５０は、長さ「Ｌｃ」を有するバックスパン１５２を有する。ステープル保持スロット１３８ａ、１３８ｂ、１３８ｃのそれぞれの環状列１３６ａ、１３６ｂ、１３６ｃに装填される外科ステープル１５０を形成するために使われる材料の全長が、概ね一定のままであるように、外科ステープル１５０のバックスパン１５２の長さ「Ｌａ」、「Ｌｂ」および「Ｌｃ」が増大すると、外科ステープル１５０のレッグ１５４および１５６の対応する長さが減少することが考えられる。
【００９１】
さらに、認識され得るように、本開示に従って、ステープル保持スロット１３８ａの第１または内側の環状列１３６ａに装填される外科ステープル１５０は、湾曲の半径「Ｒ４」を有するバックスパン１５２を有し、ステープル保持スロット１３８ｂの第２または中間の環状列１３６ｂに装填される外科ステープル１５０は、湾曲の半径「Ｒ５」を有するバックスパン１５２を有し、そしてステープル保持スロット１３８ｃの第３または外側の環状列１３６ｃに装填される外科ステープル１５０は、湾曲の半径「Ｒ６」を有するバックスパン１５２を有する。ステープルを駆動するためのプッシャ部材（または複数の部材）は、ステープルのバックスパンの形状に対応するように湾曲している個々のプッシャプレートを有する。
【００９２】
上に議論されたステープル形成ポケットおよびステープル保持スロットは、内側の列の外側に配置される隣接のポケット（またはスロット）の列と同じ距離で間隔を空けられている内側のポケット（またはスロット）の列を有する。外側に配置された列におけるポケット（スロット）の間隔は、図２から図４に関連して上に議論されるデバイスと比較すると減少しているので、潜在的なリークパスは、かなり小さくなっている。
【００９３】
上に議論された外科ステープル、エンドエフェクタ、および／またはアンビル組立部に対して、２つの環状列の外科ステープル、２つの環状列のステープル保持スロットおよび２つの環状列のステープル形成ポケットが使われ得る。環状列は、円形、卵形、半円形、または弓形の形状であり得る。さらに、各ステープル保持スロットおよびステープル形成ポケットの長手方向軸は、弓形に接近するために、角度を付けられ得、または曲げられ得る。湾曲の長さを有する、ステープル保持スロットの列とステープル形成ポケットの列は、外科ステープラと、直線のジョーまたは他の形状のジョーを有するエンドエフェクタにおいて使われ得る。
【００９４】
上の説明は多くの細部を包含するが、これらの細部は、本開示の範囲上の限定としてではなく、むしろ単にそれらのさまざまな実施形態の例示として構成されるべきである。そのゆえ、上の説明は、限定としてではなく、むしろ単にさまざまな実施形態の代表的な例として構成されるべきである。当業者は、本開示の範囲および精神内の他の修正を予想する。
【符号の説明】
【００９５】
１０  外科ステープリングデバイス
１２  ハンドル組立部
１４  中央本体部分
１６  遠位ヘッド部分
２０  固定ハンドル
２２  発射トリガー
２４  回転可能な接近ノブ
１３０  シェル組立部
１４０  アンビル組立部
【図１】
2012075872.tif 000003
【図２】
2012075872.tif 000004
【図３】
2012075872.tif 000005
【図４】
2012075872.tif 000006
【図５】
2012075872.tif 000007
【図６】
2012075872.tif 000008
【図７】
2012075872.tif 000009
【図８】
2012075872.tif 000010
【図９】
2012075872.tif 000011
【図１０】
2012075872.tif 000012
【図１１】
2012075872.tif 000013
【図１２】
2012075872.tif 000014
【図１３】
2012075872.tif 000015
【図１４】
2012075872.tif 000016
【図１５】
2012075872.tif 000017
【図１６】
2012075872.tif 000018